(57)【要約】      （修正有）【課題】リムーバブルハードディスク未装着部分にダミー装着などの付帯部品及び作業を伴う事無く効率的且つ選択的な冷却が可能になり操作性も良好となるリムーバブルハードディスクアレイ装置の提供。【解決手段】装置側にリムーバブルハードディスクの着脱によって開閉する冷却空気流の遮断ドア１１ｃを設け、未装着部分の冷却流を遮断し装着部分の冷却効率を維持もしくは向上させる。【選択図】図６
2006139468.tif 000002
【特許請求の範囲】
【請求項１】
リムーバブルハードディスク挿入口の反対位置に冷却空気流路遮断扉をリムーバブルハードディスク装着部位毎に配置しリムーバブルハードディスクの非装着時に非装着部位の冷却空気流を選択的に遮断し、またリムーバブルハードディスクの装着時には冷却空気流路遮断扉を開放しリムーバブルハードディスク装着部位の冷却空気流路を選択的に形成する事を特徴とするリムーバブルハードディスクアレイ装置。
【請求項２】
請求項１の装置にあってリムーバブルハードディスク装着部位を個々に隔離した構造とする事を特徴とするリムーバブルハードディスクアレイ装置。
【請求項３】
請求項１及び２の特徴を併せ持つ装置であって冷却空気流路遮断扉の開閉状態を検知する機構を設け、検知情報からリムーバブルハードディスク装着位置を特定し最適な冷却空気流を形成するファンを選択的に駆動管理する手段を有する事を特徴とするリムーバブルハードディスクアレイ装置。
【請求項４】
請求項１及び２の特徴を併せ持つ装置であって冷却空気流路遮断扉の開閉状態を検知する機構を設け、開放検知数により最適な冷却空気流を形成するファンの駆動数及び回転数制御を行う駆動管理手段を有する事を特徴とするリムーバブルハードディスクアレイ装置。
【請求項５】
請求項１から４の特徴を併せ持つ事を特徴とするリムーバブルハードディスクアレイ装置。
【発明の詳細な説明】
【技術分野】
【０００１】
本発明は、情報処理機器であるリムーバブル磁気ディスクアレイ装置及びそのリムーバブル磁気ディスクの冷却方式に関する。
【背景技術】
【０００２】
記憶装置の故障などから記憶情報の信頼性確保の為に記憶装置である磁気ディスクを複数配置し情報のバックアップやＲＡＩＤ構成をとる事が高い信頼性を求められる情報処理装置では一般的である。これらのディスクアレイ装置においては磁気ディスクの故障交換などメンテナンス性を考慮し磁気ディスクを容易に着脱可能とするカセット構造をとる事が一般的である。また磁気ディスクの信頼性確保の為には磁気ディスクの連続運転により発生する熱の処理を目的に磁気ディスクを装着したカセットに冷却ファンを配置又は図１に示すようにディスクアレイ装置自体の冷却も含め複数の冷却ファン５を配置することが一般的である。また複数のカセットを装着可能なディスクアレイ装置においては図１の１に示すようにカセットの歯抜け装着により非装着部分の空間発生による流路抵抗減少を招きこの部分に冷却空気が集中流入する。このためカセット装着部分の冷却空気流が２ａ、２ｂ、２ｃに示すように減少し冷却が阻害されるなど不具合が生じていた。この不具合に対し特許第３０１１１５８号においては非装着部分の流路を遮断するダミーを装着する方法が考案されている。一方、デジタルムービーの普及により一般家庭においてもデジタル画像処理を目的とした大容量磁気ディスクを搭載したパソコンの普及と共にこれらデジタル画像の記憶媒体としてリムーバブルハードディスクが考えられ、頻繁な着脱に主眼をおいた複数のリムーバブルハードディスクを装着する装置が考えられる状況となっている。
【特許文献１】特許第３０１１１５８号公報
【発明の開示】
【発明が解決しようとする課題】
【０００３】
しかしながら複数のリムーバブルハードディスクを装着し着脱頻度の高い装置においては従来例で示したダミーの装着は操作性を著しく損なう事となる。またダミー装着を行わずリムーバブルハードディスク装着開口部に蓋構造を設け流路遮断構造としてもリムーバブルハードディスク非装着時には空間部分が生じ、この部位の流路抵抗が低いものとなり装置内部で連通する他所からリムーバブルハードディスク非装着部位に空気流が偏りリムーバブルハードディスク装着部の冷却流を阻害する方向に働き効果的な冷却が損なわれる事となる。
【課題を解決するための手段】
【０００４】
本発明は以上のような問題点に鑑みて請求項１においてはリムーバブルハードディスの装着非装着に連動して冷却空気の流路を形成又は遮断する扉構造をリムーバブルハードディスク装着開口部の反対位置又はその周辺に配置しリムーバブルハードディスク装着時には装着開口部から外気を取り込み遮断扉開放部からディスクアレイ装置の排気ファンにより吸引排気する冷却空気流路を形成する事を特徴としたものである。請求項２においてはリムーバブルハードディスク装着部を個々に隔離する事により冷却空気流路の選択効率を向上させる事を特徴としたものである。請求項３においてはディスクアレイ装置に複数の排気ファンが装着されている場合、遮断扉個々に開放検知器を設け検知部位に対して冷却空気流路形成が最も効率的に行える排気ファンを駆動する制御を追加した事を特徴としたものである。請求項４は遮断扉個々に開放検知器を設け装着台数検知を行いリムーバブルハードディスクの装着数に応じた排気ファンの流速制御を行う装置を追加した構成である。請求項５は請求項１から４までを複合させた冷却空気制御を行う事を特徴としたものである。
【発明の効果】
【０００５】
本発明によればディスクアレイ装置においてリムーバブルハードディスク未装着部分にダミー装着などの付帯部品及び作業を伴う事無く効率的且つ選択的な冷却が可能になり操作性も良好となる。さらにはリムーバブルハードディスクの装着完了信号を兼ねる事も可能となり電源投入管理などに活用できる。
【発明を実施するための最良の形態】
【０００６】
（実施例１）
本発明の請求項１の一つの冷却空気流路遮断扉の形態を図２に斜視図及び図３に断面図として示す。遮断扉は装置の固定部９に回転軸８を回転可動状態として保持する。リムーバブルハードディスクが未装着の場合は図３に示すように遮断扉自体の自重で開口部１０を塞ぐ状態で保持される。このとき遮断扉の重量を開口部１０における排気ファンにより発生する最大負圧により稼働しない重量とする事で遮断状態を保持する。次にリムーバブルディスクが装着された場合、図４に示すように装着により遮断扉１１のスロープ部分１２をリムーバブルハードディスク１３の先端部がスライドする事により遮断扉を回転軸８を中心に上方向に開放され排気開口部１４が形成される。排気開口部１４はリムーバブルハードディスクが抜き去られるまで開放状態を維持する。この結果図５に示すような冷却空気流１５がディスクアレイ装置の排気ファンこれにより発生しリムーバブルハードディスク装着開口部１７と装着されたリムーバブルハードディスクの隙間部から外気を吸入する。図６は遮断扉１１ｃがリムーバブルハードディスク未装着により遮断状態、遮断扉１１ａ、１１ｂ及び１１ｄはリムーバブルハードディスク装着により開放状態となっているの時の冷却空気流１８−１８’、１９ａ−１９ａ’、１９ｂ−１９ｂ’、及び１９ｃ−１９ｃ’を矢印の大きさで図示しリムーバブルハードディスク未装着部の外気流入抑制効果を示したものである。
【０００７】
（実施例２）
また請求項１の別の実施例として、図２に示す遮断扉１１の形態を図７に示す格子可動片２３と装置側固定格子２１の組み合わせに替えリムーバブルハードディスク装着部位毎に配置したものである。格子可動片２３は図７の左右方向に可動状態になるようにバネ２０を介して固定格子２１に固定されている。図７の状態はバネ２０の圧縮状態により図左方向に固定され排気開口部２２を格子可動片２３の斜線部分によって遮断状態としている。これにより装置排気ファンが可動状態であっても排気流は排気開口部には発生しない。次にリムーバブルハードディスク１３の装着により図８に示すように格子可動片２３の右端¬状部分をリムーバブルハードディスク１３先端部が押し格子可動片開口部２４と固定格子２１の排気開口部２２が合致した状態でリムーバブルハードディスクの装着が完了するよう固定格子２２及び格子可動片２３が配置されている。この結果装置排気ファンの可動により冷却空気流２５が生じリムーバブルハードディスクの冷却が可能となる。
【０００８】
（実施例３）
請求項２は実施例１及び２の効果を選択的冷却効果を確実なものとする為に個々のリムーバブルハードディスクを装着する部位を個々に箱状に形成し隣り合う冷却空気流の混合を防止し選択的冷却効果を高めたものである。
【０００９】
（実施例４）
また請求項４の実施例として遮断扉の開放検知を行うために検知器を設けこの検知器情報により予め定められた制御情報により複数配置された排気ファンに対し最適な駆動制御を行うものとした者である。遮断扉開放検知は図９に示す遮断扉１１に検知用突起２７を施し検知器２６を遮断扉１１の検知用突起が開放状態で作用する位置に配置したものである。同様に図１０においても検知器２６を格子可動片２３が排気開口部２２と合致した位置で作用する位置に配置したものである。図１１は前述開口検知を施したリムーバブルハードディスクアレイの例を示したもので複数も排気ファン、図１１では排気ファン２８、排気ファン２９及び排気ファン３０が配置され複数のリムーバブルハードディスク、図１１では１２台の装着可能スロットを有している。事例では４台のリムーバブルハードディスクが図１１に示される位置にリムーバブルハードディスク装着部位３１とリムーバブルハードディスク非装着部位３２で示されている。このときの排気ファン制御の概略を図１２をもって述べる。開口検知器２６から開口検知器２６ｋは検出回路３３に接続され検出結果はＣＰＵ３４へインタラプト又はポーリング処理により通知検知される。ＣＰＵ３４は情報処理に必要なＲＯＭ、ＲＡＭ機能を併せ持つものとして示した。ＣＰＵ３４に内蔵されたＲＯＭには処理プログラムとルックアップテーブルが記述されている。ルックアップテーブルには少なくともブロック化された信号検知位置対最適ファン番号、信号検知数対ファン回転数が記述されている。図１１の場合装着スロット全体を均等に３ブロックに分け１ブロック４台のリムーバブルハードディスクとして説明を行う。図１１の場合装着部位３１の左端には１台、右端には３台のリムーバブルハードディスクが装着されている。装着位置に対応した検知情報を検出回路３３を介し得たＣＰＵ３４は検知情報によるルックアップテーブル参照結果から左端近傍のファン２８と右端近傍のファン３０を制御対象と決定する。次に検知情報から制御対象ブロック内の検知数の計数を行いファン２８の対象ブロック内計数値＝１、ファン３０の対象ブロック内計数値＝３を得る。次にこの計数結果をもとに信号検知数対ファン回転数のルックアップテーブルを参照し対象ブロック内計数値＝１に対しての駆動回転数：ｆ１、対象ブロック内計数値＝３に対しての駆動回転数：ｆ３を得る。以上の参照からファン２８をｆ１回転数及びファン３０をｆ３回転数とする制御信号をファン制御回路３５に出力する。ファン制御信号を得たファン制御回路は指定回転数となる様に例えばＤＣファンであれば電圧制御による回転数制御を行う。このとき未装着部位３２近傍のファン２９は制御対象とならぬ為運転停止とすると、ファン取り付け部が開口部となりファン２８及びファン３０に対し外気流入口となり本来のリムーバブルハードディスク冷却の阻害要因となる。このため運転中止を行う場合はブロック単位の物理的隔離を施す。又は逆流を防止する排気量の運転を行うものとする。
【００１０】
さらに、開口検知器はリムーバブルハードディスク個々に対応するよう配置され、リムーバブルハードディスクのコネクタ装着完了位置に検出位置を合わせる事も可能である。これにより開口検知信号はリムーバブルハードディスク装着信号の機能を併せ持つ事が可能になりリムーバブルハードディスクの電源投入管理などに活用できる。リムーバブルハードディスク装着信号は図１２の装置システム制御ブロック３６にＣＰＵ３４から装着信号として出力を行う。
【図面の簡単な説明】
【００１１】
【図１】従来流路バランス略図
【図２】遮断扉
【図３】遮断扉閉口時略図
【図４】遮断扉開口時略図
【図５】遮断扉開口時冷却流路略図
【図６】遮断扉開口時冷却流バランス略図
【図７】別実施例遮断扉閉口時略図
【図８】別実施例遮断扉開口時略図
【図９】開口検知器略図
【図１０】別実施例開口検知器略図
【図１１】ディスクアレイ実施例
【図１２】ファンモータ制御ブロック図
【符号の説明】
【００１２】
１  未装着部流入外気
１′  未装着部廃熱流
２ａ  装着部流入外気
２ａ′  装着部廃熱流
２ｂ  装着部流入外気
２ｂ′  装着部廃熱流
２ｃ  装着部流入外気
２ｃ′  装着部廃熱流
３  ファン排気流
４ａ  リムーバブルハードディスク
４ｂ  リムーバブルハードディスク
４ｃ  リムーバブルハードディスク
５  冷却ファン
６  装置筐体
７ａ  コネクタ
７ｂ  コネクタ
７ｃ  コネクタ
８  回転軸
９  固定部
１０  開口部
１１  遮断扉
１１ａ  遮断扉
１１ｂ  遮断扉
１１ｃ  遮断扉
１１ｄ  遮断扉
１２  スロープ部分
１３  リムーバブルハードディスク
１４  排気開口部
１５  冷却空気流
１６  接続ケーブル
１７  リムーバブルハードディスク挿入口
１８  遮断部流入外気
１８′  遮断部廃熱流
１９ａ  装着部流入外気
１９ａ′  装着部廃熱流
１９ｂ  装着部流入外気
１９ｂ′  装着部廃熱流
１９ｃ  装着部流入外気
１９ｃ′  装着部廃熱流
２０  バネ
２１  固定格子
２２  排気開口部
２３  格子可動片
２４  格子可動片開口部
２６  開口検知器
２６ａ  開口検知器
２６ｋ  開口検知器
２７  検知用突起
２８  排気ファン
２９  排気ファン
３０  排気ファン
３１  リムーバブルハードディスク装着部位
３２  リムーバブルハードディスク非装着部位
３３  検出回路
３４  ＣＰＵ
３５  ファン制御回路
３６  装置システム制御ブロック
【図１】
2006139468.tif 000003
【図２】
2006139468.tif 000004
【図３】
2006139468.tif 000005
【図４】
2006139468.tif 000006
【図５】
2006139468.tif 000007
【図６】
2006139468.tif 000008
【図７】
2006139468.tif 000009
【図８】
2006139468.tif 000010
【図９】
2006139468.tif 000011
【図１０】
2006139468.tif 000012
【図１１】
2006139468.tif 000013
【図１２】
2006139468.tif 000014